(57)【特許請求の範囲】
【請求項１】
２本の電線を接続スリーブによって接続する際に用いられる電線接続用補助器具であって、
予め一方の電線を固定した接続スリーブ、又は、この接続スリーブと前記一方の電線とを把持可能とする第１のクリップ装着体と、他方の電線の被覆端部を把持可能とする第２のクリップ装着体とを有し、
前記第１のクリップ装着体は、複数のクリップを連結棒を介して連結して構成され、前記接続スリーブの先端を前記一方の電線から最も離れた端部のクリップで把持しつつ、当該クリップの端面より内側に位置させるように前記接続スリーブの把持位置を規定する位置決め機構と、前記接続スリーブと前記他方の電線とを圧着するために用いられる圧縮器具による前記接続スリーブの圧縮位置を規定するガイド機構とを備え、
前記第１のクリップ装着体と前記第２のクリップ装着体との軸方向で互いに近接させるそれぞれの端面に磁石を設けたことを特徴とする電線接続用補助器具。
【請求項２】
前記位置決め機構は、前記接続スリーブの外周面に形成された凹部に、いずれかの前記クリップの内面に設けられた位置決めピンを係合して構成されることを特徴とする請求項１記載の電線接続用補助器具。
【請求項３】
前記ガイド機構は、隣り合うクリップの対向する端面によって構成されることを特徴とする請求項１又は２記載の電線接続用補助器具。
【請求項４】
前記複数のクリップは、対をなすクリップ片を有して構成され、各々の一方のクリップ片が第１の連結部材により連結され、各々の他方のクリップ片が第２の連結部材により連結され、両端部のクリップの動きに連動して開閉することを特徴とする請求項１乃至３のいずれかに記載の電線接続用補助器具。
【請求項５】
前記複数のクリップは、対をなすクリップ片を有して構成され、両端部のクリップはそれぞれ独立して開閉動作し、前記両端部のクリップの間に位置するクリップは、前記両端部のクリップを連結する連結棒に固定され、その対をなすクリップ片の先端部に前記接続スリーブを押し付けることにより開いて前記対をなすクリップ片間に前記接続スリーブを導く導入部が設けられていることを特徴とする請求項１乃至３のいずれかに記載の電線接続用補助器具。
【請求項６】
前記クリップの対をなすクリップ片の先端部には、互いに吸着する磁石が設けられていることを特徴とする請求項１乃至５のいずれかに記載の電線接続用補助器具。
【請求項７】
前記複数のクリップは、前記第１のクリップ装着体の両端部に設けられるものであり、
この両端部のクリップの間に前記接続スリーブを支持する複数の支持片が設けられ、
前記位置決め機構は、前記接続スリーブの外周面に形成された凹部に、いずれかの前記支持片の内面に設けられた位置決めピンを係合して構成され、前記ガイド機構は、前記クリップと前記支持片との対向する端面、及び、隣り合う支持片の対向する端面によって構成されることを特徴とする請求項１記載の電線接続用補助器具。
【発明の詳細な説明】
【技術分野】
【０００１】
この発明は、接続スリーブを用いて２本の電線同士を接続する際に利用される電線接続補助器具に関し、特に、電線を接続スリーブに入れ易くすると共に、所定位置まで容易に挿入でき、挿入された電線が接続スリーブから抜けることを有効に回避し、間接活線用の手動式圧縮ペンチ等の圧着機を用いて接続スリーブを圧縮する場合でもその作業を容易に行うことが可能な電線接続用補助器具に関する。
【背景技術】
【０００２】
間接活線工法において高圧引下線の縁接続作業を行う場合には、図７（ａ）に示されるような導電体で形成された円筒形状の接続スリーブ１を用い、次のような作業を行う。
先ず、負荷側縁線２は、停電作業となるので、接続スリーブ１の一端から負荷側縁線２の芯線２ａを挿入し、圧縮ペンチを直接手で持って接続スリーブ１の所定の２箇所を圧着させるようにしている。
その後、電源側縁線３を接続スリーブ１に接続する作業を行うが、電源側縁線３は充電中であるので、間接活線作業にて縁線の被覆を剥ぎ取り、負荷側と電源側の双方の縁線をそれぞれ絶縁ヤットコで把持し、負荷側縁線２が接続された接続スリーブ１に電源側縁線３の芯線３ａを挿入する。
【０００３】
その後、１人の作業者が両方の絶縁ヤットコを保持した状態で、もう一人が図７（ｂ）に示されるような間接活線用の手動式圧縮ペンチ１００を接続スリーブ１に引っ掛け、この圧縮ペンチ１００の操作レバー１０１を他の間接活線工具（例えば、バインド打ち器）１０２を用いて動かすことで接続スリーブ１を圧縮し、電源側縁線３に接続スリーブ１を圧着させるようにしている（特許文献１等参照）。
【先行技術文献】
【特許文献】
【０００４】
【特許文献１】特開２００８−１２５２９１号公報
【発明の概要】
【発明が解決しようとする課題】
【０００５】
しかしながら、接続スリーブ１は、長さが４０〜５０ｍｍ、直径１０ｍｍ程度のものであるため、作業位置から離れたスリーブに絶縁ヤットコ等の間接活線工具を操作して縁線の芯線を接続スリーブ１に挿入することは難しく、また、挿入した芯線を所定の位置まで挿入させることも難しく、一旦挿入できても、仮留めできないため、直ぐに外れてしまう。
特に、風が強い中での作業になると、接続スリーブ１への縁線の挿入や挿入量の調整は困難を極め、作業時間がかかってしまう不都合がある。
【０００６】
また、接続スリーブを電源側縁線に圧着させる際には、前述した間接活線用の圧縮ペンチをスリーブの所定箇所に引っ掛けて操作する必要があるが、圧縮ペンチを乗せた重みで挿入した縁線が外れることもあり、また、スリーブの圧縮箇所は、作業者の位置から見えにくいため、誤った箇所を圧縮して圧縮不良が生じる等の不都合も懸念される。
【０００７】
本発明は、係る事情に鑑みてなされたものであり、間接活線作業にて電線を接続スリーブに入れやすくすると共に所定位置まで容易に挿入することができ、一旦挿入したら外れる不都合を回避でき、また、接続スリーブの予め決まった箇所を圧縮ペンチで確実に圧縮することが可能な電線接続用補助器具を提供することを主たる課題としている。
【課題を解決するための手段】
【０００８】
上記課題を達成するために、本発明にかかる電線接続用補助器具は、２本の電線を接続スリーブによって接続する際に用いられる補助器具であって、予め一方の電線を固定した接続スリーブ、又は、この接続スリーブと前記一方の電線とを把持可能とする第１のクリップ装着体と、他方の電線の被覆端部を把持可能とする第２のクリップ装着体とを有し、前記第１のクリップ装着体は、複数のクリップを連結棒を介して連結して構成され、前記接続スリーブの先端を前記一方の電線から最も離れた端部のクリップで把持しつつ、当該クリップの端面より内側に位置させるように前記接続スリーブの把持位置を規定する位置決め機構と、前記接続スリーブと前記他方の電線とを圧着するために用いられる圧縮器具による前記接続スリーブの圧縮位置を規定するガイド機構とを備え、前記第１のクリップ装着体と前記第２のクリップ装着体との軸方向で互いに近接させるそれぞれの端面に磁石を設けたことを特徴としている。
【０００９】
したがって、一方の電線が固定された接続スリーブに他方の電線を取り付けるには、先ず、一方の電線が固定された接続スリーブを、第１のクリップ装着体に対して、位置決め機構によってその先端を一方の電線から最も離れた端部のクリップで把持しつつ、そのクリップの端面よりも内側（手前）に位置するように取り付け、また、他方の電線の被覆端部を第２のクリップ装着体によって把持する。
この状態においては、第１のクリップ装着体の一方の電線から最も離れた端部のクリップには、接続スリーブを挟持している挟持部分に、接続スリーブよりも先端側で該接続スリーブの内径よりも大きい内径を有する空間が形成されることになる。
【００１０】
そこで、第１のクリップ装着体と第２のクリップ装着体とを互いに近づけ、前記端部のクリップの挟持部分の空間に他方の電線の芯線を一旦挿入し、その後、接続スリーブへ挿入させる。
このように、他方の電線の芯線を直接接続スリーブに挿入するのではなく、一旦、端部のクリップの接続スリーブを把持している空間に挿入させるので、芯線を受け入れる部分の径を実質的に大きくすることが可能となり、接続スリーブへの導入がしやすくなる。
【００１１】
そして、接続スリーブに他方の電線の芯線が挿入された後に押し込むと、第１のクリップ装着体と第２のクリップ装着体とは、軸方向で互いに対向する端面に設けられた磁石の磁力により吸着し、他方の電線の芯線は接続スリーブに所定位置まで挿入される。
この段階においては、第１のクリップ装着体と第２のクリップ装着体とは、磁石によって互いに吸着されているので、磁力以上の力が加わらない以上、離れることがなくなる。
【００１２】
その後、接続スリーブを圧着機で圧縮する場合には、第１のクリップ装着体のガイド機構によって圧着機を接続スリーブの所定箇所に導き、接続スリーブを圧縮すれば、接続スリーブの所定部位を圧着機によって確実に圧縮することが可能となる。
【００１３】
ここで、位置決め機構は、前記接続スリーブの外周面に形成された凹部に、いずれかのクリップの内面に設けられた位置決めピンを係合して構成するようにしてもよい。  
また、ガイド機構は、隣り合うクリップの対向する端面によって構成するようにしてもよい。
【００１４】
前述した複数のクリップは、対をなすクリップ片を有して構成され、各々の一方のクリップ片が第１の連結部材により連結され、各々の他方のクリップ片が第２の連結部材により連結され、両端部のクリップの動きに連動して開閉させるようにしても、対をなすクリップ片を有して構成され、両端部のクリップはそれぞれ独立して開閉動作し、前記両端部のクリップの間に位置するクリップは、前記両端部のクリップを連結する連結棒に固定され、その対をなすクリップ片の先端部に前記接続スリーブを押し付けることにより開いて前記対をなすクリップ片間に前記接続スリーブを導く導入部を設けるものであってもよい。
【００１５】
さらに、クリップ片の挟持力を高めるために、前記クリップの対をなすクリップ片の先端部には、互いに吸着する磁石が設けるようにしても、対をなすクリップ片を板バネを設けて、常時閉方向に付勢するようにしてもよい。
【００１６】
なお、複数のクリップは、前記第１のクリップ装着体の両端部に設けられるものとし、この両端部のクリップの間に前記接続スリーブを支持する複数の支持片を設け、前記位置決め機構を、接続スリーブの外周面に形成された凹部に、いずれかの前記支持片の内面に設けられた位置決めピンを係合して構成し、前記ガイド機構を、前記クリップと前記支持片との対向する端面、及び、隣り合う支持片の対向する端面によって構成するようにしてもよい。
【発明の効果】
【００１７】
以上述べたように、本発明によれば、電線接続用補助器具を、予め一方の電線を固定した接続スリーブ、又は、この接続スリーブと一方の電線とを把持可能とする第１のクリップ装着体と、他方の電線の被覆端部を把持可能とする第２のクリップ装着体とにより構成し、第１のクリップ装着体に、接続スリーブの先端を端部のクリップで把持しつつ端部のクリップの端面よりも手前の部分に位置させるように位置決めする位置決め機構と、圧縮器具による圧縮位置を規定するガイド機構とを設け、さらに、第１のクリップ装着体と前記第２のクリップ装着体との軸方向で互いに対向するそれぞれの端面に磁石を設けたので、間接活線作業によっても電線の芯線を接続スリーブに容易に挿入することができ、また、電線の芯線を接続スリーブの所定位置まで挿入できると共に、一旦挿入した芯線が外れる不都合を回避することが可能となる。さらに、接続スリーブの所定箇所を圧縮ペンチで確実に圧縮して接続スリーブと電線との圧着不良を無くすことが可能となる。
【図面の簡単な説明】
【００１８】
【図１】図１は、本発明に係る電線接続用補助器具の第１の構成例（実施例１）を示す斜視図であり、第１のクリップ装着体に接続スリーブを把持させる前の状態を示す図である。
【図２】図２は、第１のクリップ装着体と第２のクリップ装着体とを示す側面図であり、（ａ）は第１のクリップ装着体と第２のクリップ装着体とを合体させる前の状態を示す図、（ｂ）は第１のクリップ装着体と第２のクリップ装着体とを合体させた状態を示す図である。
【図３】図３は、実施例１に係る電線接続用補助器具の第１のクリップ装着体に用いられるクリップと第２のクリップ装着体に用いられるクリップを示す図であり、（ａ）は、第１のクリップ装着体の第１クリップＡを示す図、（ｂ）は、第１のクリップ装着体の第２クリップＢを示す図、（ｃ）は第１のクリップ装着体の第３クリップＣを示す図、（ｄ）は、第１のクリップ装着体の第４クリップＤを示す図であり、（ｅ）は第２のクリップ装着体の第５クリップＥを示す図である。
【図４】図４は、本発明に係る電線接続用補助器具の第２の構成例（実施例２）を示す斜視図であり、第１のクリップ装着体に接続スリーブを把持させる前の状態を示す図である。
【図５】図５は、実施例２に係る電線接続用補助器具の第１のクリップ装着体に用いられるクリップと第２のクリップ装着体に用いられるクリップを示す図であり、（ａ）は、第１のクリップ装着体の第１クリップＡを示す図であり、（ｂ）は、第１のクリップ装着体の第２クリップＢを示す図であり、（ｃ）は第１のクリップ装着体の第３クリップＣを示す図であり、（ｄ）は、第１のクリップ装着体の第４クリップＤを示す図であり、（ｅ）は第２のクリップ装着体の第５クリップＥを示す図である。
【図６】図６は、本発明に係る電線接続用補助器具の第３の構成例（実施例３）を示す斜視図であり、第１のクリップ装着体に接続スリーブを把持させる前の状態を示す図である。
【図７】図７（ａ）は、従来の接続スリーブを示す図であり、第７（ｂ）は、従来の間接活線用の圧縮ペンチを示す図である。
【発明を実施するための形態】
【００１９】
以下、この発明の実施例を図面に基づいて説明する。
【実施例１】
【００２０】
図１乃至図３において、本発明に係る電線接続用補助器具の第１の実施例の全体構成が示されている。この電線接続用補助器具は、負荷側縁線２が取り付けられた接続スリーブ１を負荷側縁線２と共に把持可能とする第１のクリップ装着体１０と、電源側縁線３の被覆端部を把持可能とする第２のクリップ装着体２０とを有して構成されている。
【００２１】
接続スリーブ１は、従来から公知のもので、アルミ材等の導電性材料で形成されて電線の芯線を挿入させる挿入孔１ａが形成された円筒状のもので、中央に径を相対的に小さくした環状凹部１ｂが形成されている。
【００２２】
第１のクリップ装着体１０は、４つのクリップ（第１クリップＡ、第２クリップＢ，第３クリップＣ、第４クリップＤ）と２本の連結棒１１ａ，１１ｂとを有して構成されている。
【００２３】
両端部のクリップ（第１クリップＡ，第４クリップＤ）は、対をなすクリップ片（Ａ１，Ａ２，Ｄ１，Ｄ２）を略中央で回動自在に連結させたもので、連結軸Ａ３，Ｄ３より一端側（図において上側）に接続スリーブ１を支持する支持部Ａ１ａ，Ａ２ａ，Ｄ１ａ，Ｄ２ａが設けられ、連結軸Ａ３，Ｄ３より他端側（図において下側）に手や工具で把持可能な把持部Ａ１ｂ，Ａ２ｂ，Ｄ１ｂ，Ｄ２ｂが形成され、連結軸Ａ３，Ｄ３には、トーションばねＡ４，Ｄ４が取付られ、このトーションばねＡ４，Ｄ４のアーム部を対をなす把持部Ａ１ｂ，Ａ２ｂ，Ｄ１ｂ，Ｄ１ｂに固定することで把持部Ａ１ｂ，Ａ２ｂ，Ｄ１ｂ，Ｄ１ｂを常時開方向（支持部Ａ１ａ，Ａ２ａ，Ｄ１ａ，Ｄ２ａを常時閉方向）へ付勢するようにしている。
【００２４】
したがって、対をなす把持部Ａ１ｂ，Ａ２ｂ，Ｄ１ｂ，Ｄ１ｂを摘まんで互いに近づけるように動かすことで支持部Ａ１ａ，Ａ２ａ，Ｄ１ａ，Ｄ２ａが開き、また、把持部Ａ１ｂ，Ａ２ｂ，Ｄ１ｂ，Ｄ１ｂの把持力を弱めることで、トーションばねＡ４，Ｄ４によって支持部Ａ１ａ，Ａ２ａ，Ｄ１ａ，Ｄ２ａが閉じられるようになっている。
それぞれの支持部Ａ１ａ，Ａ２ａ，Ｄ１ａ，Ｄ２ａには、接続スリーブ１の外径と同等又は僅かに大きい径を有する断面半円状のスリーブ受面Ａ１ｃ、Ａ２ｃ、Ｄ１ｃ，Ｄ２ｃが形成されている。また、第１クリップＡの支持部Ａ１ａ，Ａ２ａには、軸方向外側の端面（第１のクリップ装着体１０の先端側の端面）に、板状の磁石１２ａ，１２ｂが付設され、対をなす支持片Ａ１、Ａ２のそれぞれの先端部には、互いに吸着可能な磁石１３ａ，１３ｂが取り付けられている。
【００２５】
第２クリップＢは、前記２つの連結棒１１ａ，１１ｂに一体化された対をなすクリップ片Ｂ１，Ｂ２を有し、この対をなすクリップ片Ｂ１，Ｂ２は連結棒１１ａ，１１ｂの近傍に設けられた連結軸Ｂ３を中心として回転自在に連結されており、連結棒１１ａ，１１ｂが回転することにより連結軸Ｂ３を中心としてクリップ片Ｂ１，Ｂ２が回動するようになっている。この第２クリップＢは、幅狭に形成されており、対をなす支持部Ｂ１、Ｂ２には、接続スリーブ１の外径と同等又は僅かに大きい径を有する断面半円状のスリーブ受面Ｂ１ｃ，Ｂ２ｃが形成され、また、トーションばねの代わり、連結軸Ｂ３を跨ぐように板ばねＢ４が設けられ、クリップ片Ｂ１，Ｂ２を閉じる方向にばね力が常時付勢されている。また、対をなすクリップ片Ｂ１、Ｂ２のそれぞれの先端部には、互いに吸着可能な磁石１５ａ，１５ｂが取り付けられている。
【００２６】
第３クリップＣは、第２クリップＢと同様に、２つの連結棒１１ａ，１１ｂに一体化された対をなすクリップ片Ｃ１，Ｃ２を有し、この対をなすクリップ片Ｃ１，Ｃ２は、連結棒１１ａ，１１ｂの近傍に設けられた連結軸Ｃ３を中心として回転自在に連結されており、連結棒１１ａ，１１ｂが回転することにより連結軸Ｃ３を中心として回動するようになっている。この第３クリップＣは、幅広に形成されており、対をなす支持部Ｃ１，Ｃ２には、接続スリーブ１の外径と同等又は僅かに大きい径を有する断面半円状のスリーブ受面Ｃ１ｃ，Ｃ２ｃが形成され、連結軸Ｃ３を跨ぐように板ばねＣ４が設けられ、クリップ片Ｃ１，Ｃ２を閉じる方向にばね力が常時付勢されている。また、このクリップにも、対をなすクリップ片Ｃ１、Ｃ２のそれぞれの先端部に、互いに吸着可能な磁石１７ａ，１７ｂが取り付けられている。
【００２７】
さらに、一方のクリップ片Ｃ１のスリーブ受面Ｃ１ｃには、接続スリーブ１の環状凹部１ｂに係合可能な位置決めピン１８がスプリング１９により内側から付勢されて突出するようになっている。このスプリング１９により付勢された位置決めピン１８により、接続スリーブ１を第１のクリップ装着体１０の予め決まった位置に把持する位置決め機構が構成されている。この例では、接続スリーブ１の環状凹部１ｂに位置決めピン１８が係合した状態において、接続スリーブ１の先端が、第１クリップＡによって把持されつつ、第１クリップＡの外側の端面（第１のクリップ装着体１０の先端側の端面）よりも内側（手前）に位置するように接続スリーブ１の把持位置が決められている。すなわちこの例では、接続スリーブ１の先端が第１クリップＡのスリーブ受面Ａ１ｃ，Ａ２ｃの軸方向の中間位置となり、第１クリップＡの対をなすスリーブ受面Ａ１ｃ，Ａ２ｃにより、接続スリーブ１の先端に受け入れ口部１６が形成されるようになっている。
【００２８】
また、第１クリップＡと第２クリップＢとの軸方向の間隔と、第２クリップＢと第３クリップＣとの軸方向の間隔は、略等しく形成され、図７（ｂ）に示される圧縮ペンチ１００の圧着口部１０３を挿入して第１のクリップ装着体１０に把持された接続スリーブ１の外周面に導くことができる幅に形成されている。第１クリップＡと第２クリップＢとの間の間隙部分と第２クリップＢと第３クリップＣとの間の間隙部分は、接続スリーブ１の環状凹部１ｂに位置決めピン１８が係合した状態において、接続スリーブ１を圧縮させる所定箇所に臨む位置に形成されている。
【００２９】
なお、第４クリップＤは、支持部Ｄ１ａ，Ｄ２ａの側面や先端部に磁石を付設していない点を除いて第１クリップＡと同様の構成となっている。
また、第３クリップＣと第４クリップＤとの間隔は、位置決めピン１８を接続スリーブ１の環状凹部１ｂに係合させた状態において、第４クリップＤが負荷側縁線２の被覆端部を把持する長さに設定されている。
【００３０】
これに対して、第２のクリップ装着体２０は、第５クリップＥにより構成されている。この第５クリップＥは、第１クリップＡよりも厚みが薄く且つ連結棒が設けられていない点を除いて、第１クリップＡとほぼ同様の形状に形成されている。即ち、対をなすクリップ片Ｅ１，Ｅ２を略中央で回動自在に連結させ、連結軸Ｅ３よりも一端側（図において上側）に接続スリーブ１を支持する支持部Ｅ１ａ，Ｅ２ａが設けられ、連結軸Ｅ３より他端側（図において下側）に手や工具で把持可能な把持部Ｅ１ｂ，Ｅ２ｂが形成され、連結軸にＥ３は、トーションばねＥ４が取付られ、このトーションばねＥ４のアーム部を対をなす把持部Ｅ１ｂ，Ｅ２ｂに固定することで把持部Ｅ１ｂ，Ｅ２ｂを常時開方向（支持部Ｅ１ａ，Ｅ２ａを常時閉方向）へ付勢するようにしている。また、第５クリップＥの支持部Ｅ１ａ，Ｅ２ａには、軸方向の一方の端面に、板状の磁石２１ａ，２１ｂが付設されている。
【００３１】
以上の構成において、負荷側縁線２に圧着された接続スリーブ１に電源側縁線を取り付ける作業について説明すると、先ず、第１のクリップ装着体１０の両側のクリップ（第１クリップＡ、第４クリップＤ）の把持部Ａ１ｂ，Ａ２ｂ，Ｄ１ｂ，Ｄ２ｂを把持して第１乃至第４クリップＡ〜Ｄを開き、第１乃至第３クリップＡ〜Ｃで負荷側縁線２に圧着された接続スリーブ１を把持し、第４クリップＤで負荷側縁線２の被覆端部を把持する。この際、接続スリーブ１の環状凹部１ｂに第３クリップＣに設けられた位置決めピン１８を係合させるように位置を合わせて取り付ける。
【００３２】
すると、この状態においては、接続スリーブ１の先端が第１クリップＡの端面よりも手前に位置するように取り付けられ（第１クリップＡのスリーブ受面Ａ１ｃ，Ａ２ｃによって受入口部１６が形成され）、また、第１〜第３クリップＡ〜Ｃの先端部に設けられた磁石１３ａ，１３ｂ，１５ａ，１５ｂ，１７ａ，１７ｂにより、対をなす支持部Ａ１ａ，Ａ２，Ｂ１，Ｂ２，Ｃ１，Ｃ２が閉方向に付勢されると共に、第１クリップＡに設けられたトーションばねＡ４、及び、第２及び第３クリップＢ，Ｃに設けられた板ばねＢ４，Ｃ４により、対をなす支持部Ａ１ａ，Ａ２ａ，Ｂ１ａ，Ｂ２ａ，Ｃ１ａ，Ｃ２ａが閉方向に付勢され、接続スリーブ１の先端側が第１のクリップ装着体１０に強固に固定される。
【００３３】
また、第２のクリップ装着体２０を構成する第５クリップＥを、把持部Ｅ１ｂ，Ｅ１ｂを把持して開き、電源側縁線３の被覆端部に取り付ける。
そして、負荷側縁線２を絶縁ヤットコで把持すると共に電源側縁線３を絶縁ヤットコで把持し、第１クリップＡと第５クリップＥとを軸方向で対峙させつつ第１のクリップ装着体１０と第２のクリップ装着体２０とを接近させ、電源側縁線３の芯線３ａを第１クリップＡの受入口部１６に挿入させる。
【００３４】
前述した如く、受入口部１６の内径は、接続スリーブ１の内径よりも大きく形成されているので（接続スリーブ１の外径に略等しく形成されているので）、電源側縁線３の芯線３ａは第１クリップＡの受入口部１６に容易に挿入することが可能となる。そして、受入口部１６に電源側縁線３を挿入させた後に、絶縁ヤットコを小刻みに動かして電源側縁線３の芯線３ａを接続スリーブ１の挿入孔１ａに挿入させる。電源側縁線３が接続スリーブ１に挿入した感触が得られたらそのまま第２のクリップ装着体２０と第１のクリップ装着体１０とを近づける（電源側縁線３の芯線３ａを接続スリーブ１に押し込む）。すると、第１のクリップ装着体１０と第２のクリップ装着体２０とがある所まで近接すると、第１クリップＡの側面に設けられた磁石１２ａ，１２ｂと第５クリップＥの側面に設けられた磁石２１ａ，２１ｂとが吸着し、電源側縁線３の芯線３ａは接続スリーブ１に所定位置まで挿入される。
【００３５】
そして、このような磁石による吸着の手応えを感じたら、次に、図７（ｂ）に示す圧縮ペンチ１００の圧着口部１０３を第１クリップＡと第２クリップＢによって構成されるガイド機構を構成する間隙に挿入し、これらのクリップの側面に沿わせるように動かして圧着口部１０３を接続スリーブ１に押し当てる。すると、圧縮ペンチ１００の圧着口部１０３は、接続スリーブ１の圧縮しようとする所定箇所に当接されるので（引っ掛るので）、この状態で操作レバー１０１をバインド打ち機１０２等を利用して動かせば、接続スリーブ１の所定箇所を圧縮することが可能となる。この作業を第２クリップＢと第３クリップＣとによって構成されるガイド機構を構成する間隙に挿入して同様に行う。そして、以上の作業が完了した後に、第１のクリップ装着体１０と第２のクリップ装着体２０を取り外せば、縁線の接続作業は完了する。
【００３６】
したがって、上述の構成によれば、電源側縁線３の接続スリーブ１への接続は、電源側縁線３の芯線３ａを、一旦、接続スリーブ１の内径よりも大きい内径を備えた第１クリップＡの受入口部１６に挿入し、その後、接続スリーブ１に挿入するので、作業位置から離れた箇所で間接活線作業を行う場合でも、電源側縁線３の芯線３ａを容易に接続スリーブ１に挿入することが可能となる。
【００３７】
また、接続スリーブ１に挿入した電源側縁線３の芯線３ａを奥まで挿入する場合でも、第１クリップＡと第５クリップＥの側面に設けられた磁石１２ａ，１２ｂ，２１ａ，２１ｂの磁力を利用して押し入れることができるので、確実に所定位置まで挿入させることが可能となり、また、第１のクリップ装着体１０と第２のクリップ装着体２０とは、磁力以上の力がかからない限り、離れることがないので、接続スリーブ１に挿入された電源側縁線３の芯線３ａが不用意に抜ける不都合もなくなる。このため、芯線３ａの挿入不足によって圧着不良が生じる恐れを無くすことが可能となる。
【００３８】
さらに、第１のクリップ装着体１０は、圧縮ペンチ１００の圧着口部１０３を接続スリーブ１の圧縮すべき所定位置へ導くガイド機構を有しているので、所定の圧縮箇所を確実に圧縮することが可能となり、圧縮箇所がずれて圧着不良を起こす恐れもなくなる。
【実施例２】
【００３９】
図４及び図５において、本発明に係る電線接続用補助器具の他の構成例が示されている。
【００４０】
この例においては、両側のクリップ（第１クリップＡ、第４クリップＤ）が１本の連結棒２５によって連結されて独立に操作可能となっており、連結棒２５に前記構成例と異なる第２クリップＢと第３クリップＣが設けられている。
連結棒２５は、第１及び第４クリップＡ，Ｄの例えば連結軸Ａ３，Ｄ３に固定され、図示しない回り止め機構により連結軸Ａ３，Ｄ３を中心として回転しないようになっている。
【００４１】
第２クリップＢと第３クリップＣは、連結棒２５に固定されているもので、この例においては、連結棒２５の上面に立設された対をなすクリップ片Ｂ１，Ｂ２，Ｃ１，Ｃ２を所定の間隔で対向配置させて構成されているもので、それぞれのクリップ片Ｂ１，Ｂ２，Ｃ１，Ｃ２には、接続スリーブ１の外径と同等又は僅かに大きい径を有する断面半円状のスリーブ受面Ｂ１ｃ，Ｂ２ｃ、Ｃ１ｃ，Ｃ２ｃが形成され、また、対をなすクリップ片Ｂ１、Ｂ２，Ｃ１，Ｃ２のそれぞれの先端部には、互いに吸着可能な磁石１５ａ，１５ｂ，１７ａ，１７ｂが取り付けられている。
【００４２】
また、対をなすクリップ片Ｂ１，Ｂ２，Ｃ１，Ｃ２の先端部には前記接続スリーブ１を押し付けることにより開いて対をなすクリップ片間に接続スリーブ１を導くテーパＢ１ｄ，Ｂ２ｄ，Ｃ１ｄ，Ｃ２ｄが形成されている。したがって、接続スリーブ１を第２及び第３クリップＢ，Ｃの先端から対をなすクリップ片Ｂ１，Ｂ２，Ｃ１，Ｃ２の境目に沿って押し付けると、対をなすクリップ片Ｂ１，Ｂ２，Ｃ１，Ｃ２が磁石１５ａ，１５ｂ，１７ａ，１７ｂの磁力に抗して押し広げられ、クリップ片Ｂ１，Ｂ２，Ｃ１，Ｃ２が連結棒２５との固定端を中心として外側に拡がるように弾性変形し、接続スリーブ１がスリーブ受面Ｂ１ｃ，Ｂ２ｃ、Ｃ１ｃ，Ｃ２ｃまで挿入されると、対をなすクリップ片Ｂ１，Ｂ２，Ｃ１，Ｃ２は，元の位置に戻り、磁石１５ａ，１５ｂ，１７ａ，１７ｂにより閉方向に付勢されて接続スリーブ１を強固に固定する。
なお、その他の構成は、前記構成例と同じであるので、同一箇所の同一符号を付して説明を省略する。
【００４３】
したがって、このような構成においても、前記実施例と同様の作用効果を奏するほか、第１のクリップ装着体１０をよりシンプルな構成とすることが可能となる。
【実施例３】
【００４４】
図６において、本発明に係る電線接続用補助器具のさらに他の構成例が示されている。
この例においては、実施例２とほぼ同様の構成であるが、第２及び第３クリップＢ，Ｃの代わりに、片持ちの第１及び第２の支持片Ｆ，Ｇを用いた構成となっている。
【００４５】
第１及び第２の支持片Ｆ，Ｇは、第２の実施例の第２及び第３クリップＢ，Ｃのクリップ片Ｂ２，Ｃ２と同様の形状を有し、接続スリーブ１の外径と同等又は僅かに大きい径を有する断面半円状のスリーブ受面Ｆｃ，Ｇｃを備えている。また、支持片Ｇには、第３クリップＣのクリップ片Ｃ１に設けられた位置決めピンと同様の位置決めピン１８が図示しないスプリングにより内側から付勢されて突出するようになっている。
なお、その他の構成は、前記構成例と同じであるので、同一箇所の同一符号を付して説明を省略する。
【００４６】
したがって、このような構成においては、両側のクリップＡ，Ｄにより接続スリーブ１と負荷側縁線２とが把持され、第１及び第２の支持片Ｆ，Ｇは接続スリーブ１の外周面を片側からのみ支持するものであるが、第２の支持片Ｇの位置決めピン１８により接続スリーブ１の把持位置が位置決めされることになり、また、第１クリップＡの第１の支持片Ｆとの間、及び、第１の支持片Ｆと第２の支持片Ｇとの間で圧縮ペンチ１００の圧着口部１０３を接続スリーブ１の圧縮すべき所定位置へ導くガイド機構が構成されているので、このような構成においても、前記実施例と同様の作用効果を奏することが可能となる。
【００４７】
なお、以上の構成においては、第４クリップＤは、負荷側縁線２の被覆端部を把持する構成としたが、第３クリップＣと第４クリップＤとの間隔を狭め、第４クリップＤも接続スリーブ１を把持する構成としてもよい。
【符号の説明】
【００４８】
１  接続スリーブ
２  負荷側縁線
３  電源側縁線
１０  第１のクリップ装着体
１１ａ，１１ｂ，２５  連結棒
１２ａ，１２ｂ  磁石
１３ａ，１３ｂ  磁石
１５ａ，１５ｂ  磁石
１７ａ，１７ｂ  磁石
１８  位置決めピン
２０  第２のクリップ装着体
２１ａ，２１ｂ  磁石
Ａ  第１クリップ
Ｂ  第２クリップ
Ｃ  第３クリップ
Ｄ  第４クリップ
Ｅ  第５クリップ
Ｆ  第１の支持片
Ｇ  第２の支持片
【図１】
0005456114.tif 000002
【図２】
0005456114.tif 000003
【図３】
0005456114.tif 000004
【図４】
0005456114.tif 000005
【図５】
0005456114.tif 000006
【図６】
0005456114.tif 000007
【図７】
0005456114.tif 000008